(57)【要約】      （修正有）【課題】船舶の機関室内において、ボイラ用カスケードタンクと蒸溜水タンクのそれぞれのタンク配置の制限が生じず、また、蒸留水タンクからボイラ用カスケードタンクへ清水ポンプで張り込む配管を設けている場合、配管内に清水と蒸留水が混じない蒸留水タンクシステムを提供する。【解決手段】船舶の蒸気ボイラに蒸溜水１１１を補給する船舶における蒸留水タンクシステムであって、蒸気ボイラ用の蒸溜水を蓄えておく蒸溜水タンク１０５と、前記蒸気ボイラに補給する蒸溜水を一時的に蓄えておくボイラ用カスケードタンク１０６と、前記蒸溜水タンクと前記ボイラ用カスケードタンクの間の配管４及びその配管内に設けられる移送ポンプ１と、前記ボイラ用カスケードタンク内に設けられ、当該タンク内の蒸溜水の液面を計測する液面計３と、前記ボイラ用カスケードタンク内に設けられ、当該タンク内への蒸溜水の給水・停止の開閉を行う給水電磁弁２と、からなる。【選択図】図１
0003158708.tif 000002
【実用新案登録請求の範囲】
【請求項１】
船舶の蒸気ボイラに蒸溜水を補給する船舶における蒸留水タンクシステムであって、
蒸気ボイラ用の蒸溜水を蓄えておく蒸溜水タンクと、
前記蒸気ボイラに補給する蒸溜水を一時的に蓄えておくボイラ用カスケードタンクと、
前記蒸溜水タンクと前記ボイラ用カスケードタンクの間の張水配管及びその配管内に設けられる移送ポンプと、
前記ボイラ用カスケードタンク内に設けられ、当該タンク内の蒸溜水の液面を計測する液面計と、
前記ボイラ用カスケードタンク内に設けられ、当該タンク内への蒸溜水の給水・停止の開閉を行う給水電磁弁と、からなり、
前記液面計の計測信号によって、前記給水電磁弁の開閉及び前記移送ポンプの駆動停止を行い、前記蒸溜水タンクからボイラ用カスケードタンク内への蒸溜水の張り込みを可能としたことを特徴とする船舶における蒸留水タンクシステム。
【考案の詳細な説明】
【技術分野】
【０００１】
本考案は、船舶における蒸留水タンクシステムに関する。
【背景技術】
【０００２】
従来、この種の船舶における蒸気ボイラへの給水に関しては、特開２００４-２１１９３３号公報に開示のものが知られている。同特開２００４-２１１９３３号公報に開示のものは、発明名称「カスケードタンクユニット及びボイラ用給水システム」に係り、「船内の省スペース化、及び艤装の合理化を達成する、カスケードタンクユニット、及び該カスケードタンクユニットを備えたボイラ用給水システムを提供すること」を目的として（同公報明細書段落番号０００５参照）、「船内で使用した蒸気を復水する凝縮器と、上記凝縮器を取り付け、上記凝縮器から供給された凝縮水から不純物を除去するカスケードタンクと、上記カスケードタンクに取り付けられ、上記蒸気を発生するボイラへ当該カスケードタンクから上記凝縮水を給水する給水ポンプと、を備えた」ことによって（同公報明細書段落番号０００６参照）、「カスケードタンク、凝縮器、及び給水ポンプを別々に据え付けていた従来に比べて、機器の据付スペースを大幅に削減することができ・・・コンパクト化に伴い、凝縮器とカスケードタンクとの間の配管、及びカスケードタンクと給水ポンプとの間の配管を削減することができ、さらに据付スペースの削減に寄与することができ・・・又、これらのコンパクト化に伴い、艤装の合理化を図ることができる」等の効果を奏するものである（同公報明細書段落番号００２９参照）。
【０００３】
図２は、蒸留水タンクからボイラ用カスケードタンクに重力落下を利用して蒸留水を補給する従来の蒸留水タンクシステムを示す図であり、図２において、符号１００は、船舶、１０１は、機関室、１０２は、貨物倉、１０３は、居住区、１０４は、バラストタンク、１０５は、蒸留水タンク、１０６は、ボイラ用カスケードタンク、１０７は、上部デッキ、１０８は、中部デッキ、１０９は、下部デッキ、１１０は、配管、１１１は、蒸留水を示す。
【０００４】
図２に示す船舶１００においては、蒸留水タンク１０５をボイラ用カスケードタンク１０６より上方のデッキ、例えば、上部デッキ１０７に蒸留水タンク１０５を配置し、ボイラ用カスケードタンク１０６を上部デッキ１０７の下方に位置する中部デッキ１０８上に配置し、ボイラ用カスケードタンク１０６へ蒸留水１１１を補給するには、重力落下を利用して、蒸留水タンク１０５からボイラ用カスケードタンク１０６ヘ蒸留水１１１を重力によって張り込むものとしていた。
【０００５】
しかしながら、重力落下を利用した蒸留水１１１のボイラ用カスケードタンク１０６への張込みは、図２に示すように、ボイラ用カスケードタンク１０６の設置位置が、蒸留水タンク１０５より低い位置に配置されてなければ重力で蒸留水１１１を張り込むということはできず、したがって、船舶１００の機関室内１０１において、ボイラ用カスケードタンク１０６よりも蒸留水タンク１０５を上側の位置にタンク配置を行う必要があり、船舶１００の狭い限られた機関室１０１内にボイラ用カスケードタンク１０６及び蒸留水タンク１０５の夫々のタンク配置に制限があるという問題があった。
【０００６】
このため、このような制限を回避するために、図３に示すような重力落下を利用することなく、蒸留水タンク１０５からボイラ用カスケードタンク１０６へ清水ポンプで張り込む配管を設け、ポンプ制御によって蒸溜水１１１をボイラ用カスケードタンク１０６に補給するようにする蒸留水タンクシステム例があり、図３は、このようなポンプ制御によって蒸溜水１１１をボイラ用カスケードタンク１０６に補給する従来の蒸留水タンクシステム例を示す図である。図３において、符号１１２は、清水タンク、１１３，１１５は、三方弁、１１４は、清水ポンプであり、その余の符号１００〜１１１は、図２に示す同じ部署・部材を示す。
【０００７】
図３に示す船舶１００においては、居住区１０３の船員の生活に必要な清水を清水タンク１１２から清水ポンプ１１４で居住区１０３に送り込むようにしており、蒸留水タンク１０５やボイラ用カスケードタンク１０６、清水タンク１１２を同じデッキ、例えば、図３に示すような上部デッキ１０７上に配置し、ボイラ用カスケードタンク１０６へ蒸留水１１１を補給するには、清水ポンプ１１４及び三方弁１１３、１１５を制御して、蒸留水タンク１０５からボイラ用カスケードタンク１０６ヘ蒸留水１１１を張り込むものとしていた。
【０００８】
すなわち、居住区１０３の船員が清水を使用する際には、清水タンク１１２−三方弁１１３−清水ポンプ１１４−三方弁１１５-居住区１０３の通路を確保して、居住区１０３に清水を補給する一方、ボイラ用カスケードタンク１０６に蒸溜水１１１を補給する際には、三方弁１１３、１１５を切り替えて、蒸溜水タンク１０５−三方弁１１３−清水ポンプ１１４−三方弁１１５−ボイラ用カスケードタンク１０６の通路を確保して、ボイラ用カスケードタンク１０６に蒸溜水１１１を補給するようにしていた。
【０００９】
しかしながら、このような清水ポンプ１１４と三方弁１１３、１１５を適宜切り替えてポンプ制御によるボイラ用カスケードタンク１０６への蒸溜水１１１の張り込みは、清水ポンプ１１４を兼用することにより蒸留水１１１を移送することとなり、配管１１０内に清水と蒸留水１１１が混じるという問題があった。
【先行技術文献】
【特許文献】
【００１０】
【特許文献１】特開２００４-２１１９３３号公報
【考案の概要】
【考案が解決しようとする課題】
【００１１】
本考案は、上記のような従来技術上の問題を回避するために、船舶の機関室内において、ボイラ用カスケードタンクと蒸溜水タンクのそれぞれのタンク配置の制限が生じず、また、蒸留水タンクからボイラ用カスケードタンクへ清水ポンプで張り込む配管を設けている場合、配管内に清水と蒸留水が混じない蒸留水タンクシステムを提供することを目的とする。
【課題を解決するための手段】
【００１２】
上記の目的を達成するために、本願請求項１に係る考案は、船舶の蒸気ボイラに蒸溜水を補給する船舶における蒸留水タンクシステムであって、蒸気ボイラ用の蒸溜水を蓄えておく蒸溜水タンクと、前記蒸気ボイラに補給する蒸溜水を一時的に蓄えておくボイラ用カスケードタンクと、前記蒸溜水タンクと前記ボイラ用カスケードタンクの間の張水配管及びその配管内に設けられる移送ポンプと、前記ボイラ用カスケードタンク内に設けられ、当該タンク内の蒸溜水の液面を計測する液面計と、前記ボイラ用カスケードタンク内に設けられ、当該タンク内への蒸溜水の給水・停止の開閉を行う給水電磁弁と、からなり、前記液面計の計測信号によって、前記給水電磁弁の開閉及び前記移送ポンプの駆動停止を行い、前記蒸溜水タンクからボイラ用カスケードタンク内への蒸溜水の張り込みを可能としたことを特徴とする。
【考案の効果】
【００１３】
本考案は、上述のとおり構成されているので、次に記載する効果を奏する。
（１）船舶の機関室内において、ボイラ用カスケードタンクの設置場所が、蒸留水タンクより下側位置とする必要がないため、ボイラ用カスケードタンクと蒸留水タンクの夫々のタンク配置の制限が生じず、船舶の機関室配置に縛りがなくなり、船舶の機関室内の設計自由度が高いという効果を有する。
（２）また、蒸留水タンクからボイラ用カスケードタンクへ専用の配管を設けることにより、配管内に清水と蒸留水が混じないという効果を有する。
【図面の簡単な説明】
【００１４】
【図１】図１は、本考案を実施するための形態である船舶における蒸留水タンクシステムの実施例１を示す図面、
【図２】図２は、蒸留水タンクからボイラ用カスケードタンクに重力落下を利用して蒸留水を補給する従来の蒸留水タンクシステムを示す図、
【図３】図３は、ポンプ制御によって蒸溜水をボイラ用カスケードタンクに補給する従来の蒸留水タンクシステム例を示す図である。
【考案を実施するための形態】
【００１５】
本考案を実施するための形態に係る船舶における蒸留水タンクシステムを図面に基づいて詳細に説明する。
【実施例１】
【００１６】
図１は、本考案を実施するための形態である船舶における蒸留水タンクシステムの実施例１を示す図面であり、図１に示されるように、本実施例１に係る船舶における蒸留水タンクシステムは、船舶において蒸留水タンクからボイラ用カスケードタンクへの配管（重力張り込みライン）に専用の小型の電動蒸留水移送ポンプを設けたシステムとしたものである。図１において、符号１は、本実施例１に係る蒸留水タンクシステムに使用される蒸溜水移送ポンプであり、２は、給水電磁弁、３は、液面計、４は、配管、５は、ケーブルであり、図２，図３に説明した同一の部署・部材は、同一の符号を付し、その詳しい説明は省略する。
【００１７】
本実施例１に係る蒸留水タンクシステムは、ボイラ用カスケードタンク１０６内に設けた液面計３の信号を電動蒸留水移送ポンプ１とボイラ用カスケードタンク１０６内に設けている給水電磁弁２へ入力し、ボイラ用カスケードタンク１０６内の蒸留水１１１の量が減少（例えば５０％以下）した場合、給水電磁弁２を開き、かつ、電動蒸留水移送ポンプ１を駆動させて蒸留水１１１を蒸溜水タンク１０５からボイラ用カスケードタンク１０６内へ張り込む。
【００１８】
本実施例１に係る蒸留水タンクシステムは、船舶１００において蒸留水タンク１０５からボイラ用カスケードタンク１０６への従来の張り込み用の配管１１０
に専用の小型の電動蒸留水移送ポンプ１を設けても良い。このように従来の張り込み用配管１１０に容易に移送ポンプ１を付加することにより、柔軟な設計、変更設計が可能となる。
また、本実施例１に係る蒸留水タンクシステムにおいては、図３に示される清水ポンプ１１４と比較して小型の容量のポンプを使用することができる。小型のポンプとすることにより、省力化をはかることができる。
【００１９】
また、本実施例１に係る蒸留水タンクシステムにおいては、前述するように、ボイラ用カスケードタンク１０６内に液面計３を設け、ボイラ用カスケードタンク１０６内の蒸留水１１１の量を常時監視し、ボイラ用カスケードタンク１０６内の蒸溜水１１１が減少（例えば５０％以下）した場合、液面計３の信号によって、電動蒸留水移送ポンプ１とボイラ用カスケードタンク１０６内に設けている給水電磁弁２へ入力し、給水電磁弁２を開き、かつ、電動蒸留水移送ポンプ１を駆動させるようにしたので、ボイラ用カスケードタンク１０６内が空になることや満水であふれ出ることがなくなり、この監視に要する人員等の負担を軽減することができる。
【００２０】
本実施例１に係る蒸留水タンクシステムにおいては、蒸留水タンク１０５からボイラ用カスケードタンク１０６へ蒸留水１１１を張り込む配管４、電動蒸留水移送ポンプ１、液面計３、電磁弁２を設けるだけで極めて容易にボイラ用カスケードタンク１０６の管理ができ、ボイラの空だきを回避することができる。
【産業上の利用可能性】
【００２１】
本考案は、船舶における蒸気ボイラの蒸留水補給に利用できる。
【符号の説明】
【００２２】
１ 移送ポンプ
２ 給水電磁弁
３ 液面計
４ 配管
５ ケーブル
１００ 船舶
１０１ 機関室
１０２ 貨物倉
１０３ 居住区
１０４ バラストタンク
１０５ 蒸留水タンク
１０６ ボイラ用カスケードタンク
１０７ 上部デッキ
１０８ 中部デッキ
１０９ 下部デッキ
１１０ 配管
１１１ 蒸留水
１１２ 清水タンク
１１３、１１５ 三方弁
１１４ 清水ポンプ
【図１】
0003158708.tif 000003
【図２】
0003158708.tif 000004
【図３】
0003158708.tif 000005